(57)【要約】【課題】表示されている文字列の一部を拡大表示すること。【解決手段】文字列を表示する表示部１０１と、ユーザの操作に応答して切換信号を出力する切り換えボタン１０２と、切換信号を受けて表示部１０１に表示されている文字列の一部を拡大表示する文字列ポイント拡大表示制御部１０３とを備える。表示部１０１は、入出力文字列を表示する。切り換えボタン１０２は、ユーザの操作に応答して文字列ポイント拡大表示制御部１０３に切換信号を送る。文字列ポイント拡大表示制御部１０３は、切り換えボタン１０２から切換信号を受けて、表示部１０１の文字表示状態を文字列ポイント拡大表示状態に切り換える。表示部１０１で拡大される文字列種類／文字数等は、ユーザがあらかじめ設定することができるようになっている。【選択図】　　　図１
2004127045.tif 000002
【特許請求の範囲】
【請求項１】
文字列を表示する表示手段と、ユーザの操作に応答して切換信号を出力する切り換えボタンと、前記切換信号を受けて前記表示手段に表示されている文字列の一部を拡大表示する文字列ポイント拡大表示制御手段と、を具備することを特徴とする文字列ポイント拡大表示機能付携帯端末装置。
【請求項２】
前記表示手段が文字列の一部を拡大表示する文字列ポイント拡大表示状態にあるとき、ユーザが前記切り換えボタンを操作すると、前記表示手段を文字列ポイント拡大表示状態から通常文字列表示状態に戻す制御を行う通常文字表示制御手段、を具備することを特徴とする請求項１記載の文字列ポイント拡大表示機能付携帯端末装置。
【請求項３】
歩行等による振動を感知する振動感知手段と、前記振動感知信号を受けて前記文字列ポイント拡大表示制御手段を制御し、前記表示手段を前記文字列ポイント拡大表示状態に切り換える自動制御手段と、を具備することを特徴とする請求項１又は請求項２記載の文字列ポイント拡大表示機能付携帯端末装置。
【請求項４】
周囲の光彩を感知する光彩感知手段と、前記光彩感知手段からの光彩感知信号が暗いことを示すとき前記文字列ポイント拡大表示制御手段を制御し、前記表示手段を前記文字列ポイント拡大表示状態に切り換える自動制御手段と、を具備することを特徴とする請求項１から請求項３のいずれかに記載の文字列ポイント拡大表示機能付携帯端末装置。
【請求項５】
文字列ポイント拡大表示設定を記憶する記憶手段、を具備することを特徴とする請求項１から請求項４のいずれかに記載の文字列ポイント拡大表示機能付携帯端末装置。
【請求項６】
ユーザの操作に応答してスライド信号を出力するスライドボタンと、前記スライド信号に応答して前記表示手段に拡大表示されている文字列をスライドさせるスライド制御手段と、を具備することを特徴とする請求項１から請求項３のいずれかに記載の文字列ポイント拡大表示機能付携帯端末装置。
【請求項７】
前記表示手段に表示されている文字列をユーザが設定した秒間隔で自動的にスライドさせる自動スライド制御手段、を具備することを特徴とする請求項１から請求項６のいずれかに記載の文字列ポイント拡大表示機能付携帯端末装置。
【請求項８】
前記表示手段に表示されている文字列をスライドさせるスライド設定を記憶する記憶手段、を具備することを特徴とする請求項６又は請求項７に記載の文字列ポイント拡大表示機能付携帯端末装置。
【発明の詳細な説明】
【０００１】
【発明の属する技術分野】
本発明は、表示部に表示されている文字列の一部を拡大表示する文字列ポイント拡大表示機能付携帯端末装置に関する。
【０００２】
【従来の技術】
従来、表示文字の拡大機能を備えた携帯端末装置としては、液晶表示文字の視認を容易にするために、液晶表示部に表示された表示文字列に対して所望の拡大表示が行える携帯端末装置が開示されている（例えば、特許文献１）。
【０００３】
【特許文献１】
特開２００１−４２８１６号公報
【０００４】
【発明が解決しようとする課題】
しかしながら、従来の拡大表示機能付携帯端末装置においては、文字列を拡大すると、液晶表示部に表示される文字数が少なくなるので、文章が読み難くなってしまうという問題があった。
【０００５】
本発明は、かかる点に鑑みてなされたものであり、表示されている文字列の一部を拡大表示する文字列ポイント拡大表示機能付携帯端末装置を提供することを目的とする。
【０００６】
【課題を解決するための手段】
本発明の文字列ポイント拡大表示機能付携帯端末装置は、文字列を表示する表示手段と、ユーザの操作に応答して切換信号を出力する切り換えボタンと、前記切換信号を受けて前記表示手段に表示されている文字列の一部を拡大表示する文字列ポイント拡大表示制御手段と、を具備する構成を採る。
【０００７】
この構成によれば、切り換えボタンによって、読み難い文字列の一部を容易に拡大表示することが可能となる。
【０００８】
本発明の文字列ポイント拡大表示機能付携帯端末装置は、上記の発明において、前記表示手段が文字列の一部を拡大表示する文字列ポイント拡大表示状態にあるとき、ユーザが前記切り換えボタンを操作すると、前記表示手段を文字列ポイント拡大表示状態から通常文字列表示状態に戻す制御を行う通常文字表示制御手段、を具備する構成を採る。
【０００９】
この構成によれば、容易に表示手段を文字列ポイント拡大表示状態から通常文字列表示状態に戻すことが可能となる。
【００１０】
本発明の文字列ポイント拡大表示機能付携帯端末装置は、上記の発明において、歩行等による振動を感知する振動感知手段と、前記振動感知信号を受けて前記文字列ポイント拡大表示制御手段を制御し、前記表示手段を前記文字列ポイント拡大表示状態に切り換える自動制御手段と、を具備する構成を採る。
【００１１】
この構成によれば、歩行時など携帯端末装置に振動が加わり表示手段が見え難い場合に、自動的に表示手段を文字列ポイント拡大表示状態に切り換えることが可能となる。
【００１２】
本発明の文字列ポイント拡大表示機能付携帯端末装置は、上記の発明において、周囲の光彩を感知する光彩感知手段と、前記光彩感知手段からの光彩感知信号が暗いことを示すとき前記文字列ポイント拡大表示制御手段を制御し、前記表示手段を前記文字列ポイント拡大表示状態に切り換える自動制御手段と、を具備する構成を採る。
【００１３】
この構成によれば、周囲が暗く表示手段が見え難い場合に、自動的に表示手段を文字列ポイント拡大表示状態へ切り換えることが可能となる。
【００１４】
本発明の文字列ポイント拡大表示機能付携帯端末装置は、上記の発明において、文字列ポイント拡大表示設定を記憶する記憶手段、を具備する構成を採る。
【００１５】
この構成によれば、ユーザは、どんな種類の文字列を拡大させるのか、何ポイント表示にするか、何文字まで拡大するかなど各種の文字列ポイント拡大表示設定を予め記憶させることが可能となる。
【００１６】
本発明の文字列ポイント拡大表示機能付携帯端末装置は、上記の発明において、　ユーザの操作に応答してスライド信号を出力するスライドボタンと、前記スライド信号に応答して前記表示手段に拡大表示されている文字列をスライドさせるスライド制御手段と、を具備する構成を採る。
【００１７】
この構成によれば、文字列ポイント拡大表示状態でスライドボタンを押すことによって文字列をスライドさせることが可能となる。
【００１８】
本発明の文字列ポイント拡大表示機能付携帯端末装置は、上記の発明において、前記表示手段に表示されている文字列をユーザが設定した秒間隔で自動的にスライドさせる自動スライド制御手段、を具備する構成を採る。
【００１９】
この構成によれば、スライドボタンを押さなくてもユーザは設定した秒間隔で自動的に文字列をスライドさせることが可能となる。
【００２０】
本発明の文字列ポイント拡大表示機能付携帯端末装置は、上記の発明において、　前記表示手段に表示されている文字列をスライドさせるスライド設定を記憶する記憶手段、を具備する構成を採る。
【００２１】
この構成によれば、　ユーザは各種スライド設定を記憶させることが可能となる。
【発明の実施の形態】
【００２２】
本発明の骨子は、切り換えボタンにより、表示されている文字列の一部が拡大表示されるようにすることである。
【００２３】
以下、　本発明の実施の形態について、　図面を用いて詳細に説明する。
【００２４】
（実施の形態１）
図１は、本発明の実施の形態１に係る文字列ポイント拡大表示機能付携帯端末装置の構成を示すブロック図である。
【００２５】
図１に示す文字列ポイント拡大表示機能付携帯端末装置１００は、表示部１０１と、切り換えボタン１０２と、文字列ポイント拡大表示制御部１０３とを備えている。
【００２６】
以上の構成において、表示部１０１は、入出力文字列を表示する。なお、文字入出力時におけるスクロール・ボタン動作等は、一般的な携帯端末装置と同様に行われるが、本発明との直接的な関わりは少ないので、その説明は省略されている。
【００２７】
切り換えボタン１０２は、ユーザの操作に応答して文字列ポイント拡大表示制御部１０３に切換信号を送る。
【００２８】
文字列ポイント拡大表示制御部１０３は、切り換えボタン１０２から切換信号を受けて、表示部１０１の文字表示状態を文字列ポイント拡大表示状態に切り換える。表示部１０１で拡大される文字列種類／文字数等は、ユーザがあらかじめ設定することができるようになっている。
【００２９】
図１では、「今日は良い天気です。」の文字列表示に対して、ユーザが切り換えボタン１０２を操作すると、「今日」が拡大表示されることが示されている。
【００３０】
このように、実施の形態１に係る文字列ポイント拡大表示機能付携帯端末装置によれば、切り換えボタンによって、読み難い文字列の一部を容易に拡大表示することができる。
【００３１】
（実施の形態２）
図２は、本発明の実施の形態２に係る文字列ポイント拡大表示機能付携帯端末装置の構成を示すブロック図である。なお、図２では、実施の形態１（図１）にて示した構成と同一ないしは対応する構成には同一の符号が付されている。ここでは、この実施の形態２に関わる部分を中心に説明する。
【００３２】
図２に示す文字列ポイント拡大表示機能付携帯端末装置２００では、実施の形態１（図１）にて示した構成において、通常文字列表示制御部２０１が追加されている。
【００３３】
通常文字列表示制御部２０１は、表示部１０１が文字列ポイント拡大表示状態となっている場合、切り換えボタン１０２の切り換え信号を受けて、表示部１０１を通常文字列表示状態へ戻す動作を行うようになっている。
【００３４】
すなわち、「今日は良い天気です。」の文字列表示に対して、図１に示したように「今日」が拡大表示された後に、ユーザが切り換えボタン１０２を操作すると、図２に示すように、「今日」の拡大表示がなくなり「今日は良い天気です。」の全体が通常サイズで表示されることが示されている。
【００３５】
このように、実施の形態２に係る文字列ポイント拡大表示機能付携帯端末装置によれば、容易に表示部を文字列ポイント拡大表示状態から通常文字列表示状態に戻すことができる。
【００３６】
（実施の形態３）
図３は、本発明の実施の形態３に係る文字列ポイント拡大表示機能付携帯端末装置の構成を示すブロック図である。なお、図３では、実施の形態２（図２）にて示した構成と同一ないしは対応する構成には同一の符号が付されている。ここでは、この実施の形態３に関わる部分を中心に説明する。
【００３７】
図３に示す文字列ポイント拡大表示機能付携帯端末装置３００では、実施の形態２（図２）にて示した構成において、振動感知部３０１と、自動制御部３０２とが追加されている。
【００３８】
振動感知部３０１は、歩行等の振動を感知することにより、自動制御部３０２に対し振動感知信号を送る。
【００３９】
自動制御部３０２は、振動感知部３０１から振動感知信号を受けて、文字列ポイント拡大表示制御部１０３を制御して表示部１０１を自動的に文字列ポイント拡大表示状態に切り換えるようになっている。
【００４０】
このように、実施の形態３に係る文字列ポイント拡大表示機能付携帯端末装置によれば、歩行時など携帯端末装置に振動が加わり表示部が見え難い場合に、自動的に表示部を文字列ポイント拡大表示状態に切り換えることができる。
【００４１】
（実施の形態４）
図４は、本発明の実施の形態４に係る文字列ポイント拡大表示機能付携帯端末装置の構成を示すブロック図である。なお、図４では、実施の形態３（図３）にて示した構成と同一ないしは対応する構成には同一の符号が付されている。ここでは、この実施の形態４に関わる部分を中心に説明する。
【００４２】
図４に示す文字列ポイント拡大表示機能付携帯端末装置４００では、実施の形態３（図３）にて示した構成において、光彩感知部４０１が追加されている。それに伴い、自動制御部３０２に代えて、自動制御部４０２が設けられている。
【００４３】
光彩感知部４０１は、周囲の光彩を感知することにより、自動制御部４０２に対し周囲が明るいか暗いかを示す光彩感知信号を送る。
【００４４】
自動制御部４０２は、実施の形態３にて示した動作に加えて、光彩感知部４０１からの光彩感知信号が暗いこと示すとき、文字列ポイント拡大表示制御部１０３を制御して表示部１０１を自動的に文字列ポイント拡大表示状態に切り換えるようになっている。
【００４５】
このように、実施の形態４に係る文字列ポイント拡大表示機能付携帯端末装置によれば、周囲が暗く表示部が見え難い場合に、自動的に文字列ポイント拡大表示状態に切り換えることができる。
【００４６】
（実施の形態５）
図５は、本発明の実施の形態５に係る文字列ポイント拡大表示機能付携帯端末装置の構成を示すブロック図である。なお、図５では、実施の形態４（図４）にて示した構成と同一ないしは対応する構成には同一の符号が付されている。ここでは、この実施の形態５に関わる部分を中心に説明する。
【００４７】
図５に示す文字列ポイント拡大表示機能付携帯端末装置５００では、実施の形態４（図４）にて示した構成において、文字列ポイント拡大表示設定記憶部５０１が追加されている。
【００４８】
文字列ポイント拡大表示設定記憶部５０１は、文字列の種類や文字列の長さなどユーザが設定した各種文字列ポイント拡大表示設定を記憶するものである。
【００４９】
このように、実施の形態５に係る文字列ポイント拡大表示機能付携帯端末装置によれば、ユーザは、どんな種類の文字列を拡大させるのか、何ポイント表示にするか、何文字まで拡大するかなど各種の文字列ポイント拡大表示設定を予め記憶させることができる。
【００５０】
（実施の形態６）
図６は、本発明の実施の形態６に係る文字列ポイント拡大表示機能付携帯端末装置の構成を示すブロック図である。なお、図６では、実施の形態５（図５）にて示した構成と同一ないしは対応する構成には同一の符号が付されている。ここでは、この実施の形態６に関わる部分を中心に説明する。
【００５１】
図６に示す文字列ポイント拡大表示機能付携帯端末装置６００では、実施の形態５（図５）にて示した構成において、スライドボタン６０１と、スライド制御部６０２とが追加されている。
【００５２】
スライドボタン６０１は、スライド制御部６０２にスライド切り換え信号を送り、表示部１０１の文字列切り換えを行うためのボタンである。スライド制御部６０２は、スライドボタン６０１からスライド切り換え信号を受けて、表示部１０１の表示文字列をスライドさせる制御を行うようになっている。
【００５３】
このように、実施の形態６に係る文字列ポイント拡大表示機能付携帯端末装置によれば、表示部が文字列ポイント拡大表示状態であるときに、スライドボタンを押すことにより文字列をスライドさせることができる。
【００５４】
（実施の形態７）
図７は、本発明の実施の形態７に係る文字列ポイント拡大表示機能付携帯端末装置の構成を示すブロック図である。なお、図７では、実施の形態６（図６）にて示した構成と同一ないしは対応する構成には同一の符号が付されている。ここでは、この実施の形態７に関わる部分を中心に説明する。
【００５５】
図７に示す文字列ポイント拡大表示機能付携帯端末装置７００では、実施の形態６（図６）にて示した構成において、自動スライド制御部７０１が追加されている。
【００５６】
自動スライド制御部７０１は、表示部１０１に表示されている文字列をユーザが設定した秒間隔や文字列で自動的にスライドさせ得るようになっている。
【００５７】
このように、実施の形態７に係る文字列ポイント拡大表示機能付携帯端末装置によれば、スライドボタンを押さなくてもユーザは設定した秒間隔で自動的に文字列をスライドさせることができる。
【００５８】
（実施の形態８）
図８は、本発明の実施の形態８に係る文字列ポイント拡大表示機能付携帯端末装置の構成を示すブロック図である。なお、図８では、実施の形態７（図７）にて示した構成と同一ないしは対応する構成には同一の符号が付されている。ここでは、この実施の形態８に関わる部分を中心に説明する。
【００５９】
図８に示す文字列ポイント拡大表示機能付携帯端末装置８００では、実施の形態７（図７）にて示した構成において、スライド設定記憶部８０１が追加されている。
【００６０】
スライド設定記憶部８０１は、スライド制御部６０２や自動スライド制御部７０１がスライドする秒間隔や表示文字列の長さなど各種スライド設定を記憶させるものである。
【００６１】
このように、実施の形態８の文字列ポイント拡大表示機能付携帯端末装置によれば、ユーザは各種スライド設定を記憶させることができる。
【００６２】
【発明の効果】
以上説明したように、本発明によれば、切り換えボタンにより、表示されている文字列の一部を拡大表示することができるので、読み難い文字列の一部を容易に拡大表示することができ、文字列を拡大すると表示される文字数が少なくなるため、文章が読みにくくなってしまうという問題を回避することができる。
【図面の簡単な説明】
【図１】本発明の実施の形態１に係る文字列ポイント拡大表示機能付携帯端末装置の構成を示すブロック図
【図２】本発明の実施の形態２に係る文字列ポイント拡大表示機能付携帯端末装置の構成を示すブロック図
【図３】本発明の実施の形態３に係る文字列ポイント拡大表示機能付携帯端末装置の構成を示すブロック図
【図４】本発明の実施の形態４に係る文字列ポイント拡大表示機能付携帯端末装置の構成を示すブロック図
【図５】本発明の実施の形態５に係る文字列ポイント拡大表示機能付携帯端末装置の構成を示すブロック図
【図６】本発明の実施の形態６に係る文字列ポイント拡大表示機能付携帯端末装置の構成を示すブロック図
【図７】本発明の実施の形態７に係る文字列ポイント拡大表示機能付携帯端末装置の構成を示すブロック図
【図８】本発明の実施の形態８に係る文字列ポイント拡大表示機能付携帯端末装置の構成を示すブロック図
【符号の説明】
１００、２００、３００、４００、５００、６００、７００、８００　文字列ポイント拡大表示機能付携帯端末装置
１０１　表示部
１０２　切り換えボタン
１０３　文字列ポイント拡大表示制御部
２０１　通常文字列表示制御部
３０１　振動感知部
３０２、４０２　自動制御部
４０１　光彩感知部
５０１　文字列ポイント拡大表示設定記憶部
６０１　スライドボタン
６０２　スライド制御部
７０１　自動スライド制御部
８０１　スライド設定記憶部
【図１】
2004127045.tif 000003
【図２】
2004127045.tif 000004
【図３】
2004127045.tif 000005
【図４】
2004127045.tif 000006
【図５】
2004127045.tif 000007
【図６】
2004127045.tif 000008
【図７】
2004127045.tif 000009
【図８】
2004127045.tif 000010